(57)【要約】【課題】取り扱いが容易な切断用カッターを提供する。【解決手段】切断用カッター１０は、少なくとも第２方向ＤＢに延び出すようにして刃片保持部３０に保持された刃片５０と、刃片５０の刃先５１の先端を第２方向ＤＢにおける一側から覆うガード位置と、刃片５０の先端を第２方向ＤＢにおける一側に露出させる露出位置との間を、刃片保持部３０に対して相対移動可能なガード部７０と、を備え、本体部２０の第１接触部２３を梱包体１の一方の面３に接触させる際に、一方の面３によってガード部７０がガード位置から露出位置に押される。【選択図】図３
2020156713.tif 000002
【特許請求の範囲】
【請求項１】
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、
前記刃片の刃先の先端を前記第２方向における前記刃片保持部とは反対側となる一側から覆うガード位置と、前記刃片の前記先端を前記第２方向における前記一側に露出させる露出位置との間を、前記刃片保持部に対して相対移動可能なガード部と、を備え、
前記本体部の前記第１接触部を前記梱包体の前記一方の面に接触させる際に、前記一方の面によって前記ガード部が前記ガード位置から前記露出位置に押される、切断用カッター。
【請求項２】
前記ガード部は、前記第１方向と前記第２方向の両方に垂直な方向に沿って移動可能である、請求項１に記載の切断用カッター。
【請求項３】
前記ガード部は、前記露出位置において、前記本体部内に位置する、請求項１又は２に記載の切断用カッター。
【請求項４】
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記第１方向及び前記第２方向の両方に垂直な方向への投影において、前記刃片の先端は、前記把持部と重なる、切断用カッター。
【請求項５】
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記刃片の刃先は、前記第１方向及び前記第２方向の両方に平行な面に対して、０°より大きく４５°未満の角度をなしている、切断用カッター。
【請求項６】
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記刃片保持部は、前記刃片の刃先が前記第１方向における一側を向く第１位置と、前記刃先が前記第１方向における他側を向く第２位置と、の間で変更可能に前記刃片を保持する、切断用カッター。
【請求項７】
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記第２接触部は、前記第１方向に沿って直線状に延びる、切断用カッター。
【発明の詳細な説明】
【技術分野】
【０００１】
本発明は、梱包体を切断する切断用カッターに関する。
【背景技術】
【０００２】
複数の商品を段ボール箱等の梱包体で梱包し、流通させ、保管することが知られている。店で商品を陳列するため、あるいは必要な数だけ消費者に届けるため、梱包体は商品の流通過程において開梱される。開梱は、通常、カッターを用いて行われる。
【先行技術文献】
【特許文献】
【０００３】
【特許文献１】特開２００１−３２２６１５号公報
【発明の概要】
【発明が解決しようとする課題】
【０００４】
梱包体を開梱するためのカッターへのニーズの一つとして、カッターの取り扱いが容易であることがある。例えば、安全に持ち運び可能であることや、切断時の操作が容易であることがある。
【０００５】
本件発明は、このような点を考慮してなされたものであって、取り扱いが容易な切断用カッターを提供することを目的とする。
【課題を解決するための手段】
【０００６】
本発明による切断用カッターは、
梱包体の角部上を移動しながら前記梱包体を切断する切断用カッターであって、
切断時に移動方向（角部の長手方向）となる第１方向と前記第１方向に直交する第２方向との両方に広がり前記角部を形成する前記梱包体の一方の面上を摺動する第１接触部を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、
前記刃片の刃先の先端を前記第２方向における前記刃片保持部とは反対側となる一側から覆うガード位置と、前記刃片の前記先端を前記第２方向における前記一側に露出させる露出位置との間を、前記刃片保持部に対して相対移動可能なガード部と、を備え、
前記本体部の前記第１接触部を前記梱包体の前記一方の面に接触させる際に、前記一方の面によって前記ガード部が前記ガード位置から前記露出位置に押される。
【０００７】
本発明による切断用カッターにおいて、
前記ガード部は、前記第１方向と前記第２方向の両方に垂直な方向に沿って移動可能であってもよい。
【０００８】
本発明による切断用カッターにおいて、
前記ガード部は、前記露出位置において、前記本体部内に位置してもよい。
【０００９】
あるいは、本発明による切断用カッターは、
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記第１方向及び前記第２方向の両方に垂直な方向への投影において、前記刃片の先端は、前記把持部と重なる。
【００１０】
あるいは、本発明による切断用カッターは、
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記刃片の刃先は、前記第１方向及び前記第２方向の両方に平行な面に対して、０°より大きく４５°未満の角度をなしている。
【００１１】
あるいは、本発明による切断用カッターは、
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記刃片保持部は、前記刃片の刃先が前記第１方向における一側を向く第１位置と、前記刃先が前記第１方向における他側を向く第２位置と、の間で変更可能に前記刃片を保持する。
【００１２】
あるいは、本発明による切断用カッターは、
梱包体の角部上を移動しながら前記梱包体を切断する切断用カッターであって、
切断時に移動方向となる第１方向と前記第１方向に直交する第２方向との両方に広がり前記角部を形成する前記梱包体の一方の面上を摺動する第１接触部と、切断時に使用者によって把持される把持部と、を有した本体部と、
切断時に前記第２方向に非平行な第３方向と前記第１方向との両方に広がり前記一方の面とともに前記角部を形成する前記梱包体の他方の面上を摺動する第２接触部を有し、且つ、前記本体部に対して固定された刃片保持部と、
少なくとも前記第２方向に延び出すようにして前記刃片保持部に保持された刃片と、を備え、
前記第２接触部は、前記第１方向に沿って直線状に延びる。
【発明の効果】
【００１３】
本発明によれば、取り扱いが容易なカッターを提供することができる。
【図面の簡単な説明】
【００１４】
【図１】本発明による切断用カッターの一実施の形態を示す図であって、梱包体と梱包体を切断する切断用カッターを示す斜視図。
【図２】図１に示す切断用カッターを拡大して示す斜視図。
【図３】図２に示す切断時の切断用カッターを第１方向から見た図。
【図４】図３に対応する図であって、不使用時の切断用カッターを示す図。
【図５】図４に示す切断用カッターを、第１接触部および第２接触部の側から見た斜視図。
【図６】図４に示す切断用カッターを、第１方向および第２方向の両方に垂直な方向から見た図。
【図７】刃片保持部を示す分解斜視図。
【図８】刃片装着部と刃片とを示す斜視図。
【図９】ガードユニットを示す分解斜視図。
【発明を実施するための形態】
【００１５】
以下、図面を参照して本発明の一実施の形態について説明する。
【００１６】
図１は本発明による切断用カッター１０の一実施の形態を説明するための図である。図１は、梱包体１を切断する切断用カッター１０の斜視図である。また、図２は、図１に示す切断用カッター１０の拡大図である。切断用カッター１０は、梱包体１の角部２上を移動しながら、当該角部２に沿って梱包体１を切断する。このような切断用カッター１０は、梱包体１の開梱に用いられる。
【００１７】
図３は、図１に示す切断用カッター１０を、切断時の移動方向（角部２の長手方向）ＤＡから見た図である。図３において、切断用カッター１０とともに、切断中の梱包体１の上記移動方向ＤＡに垂直な断面が示されている。また、図４は、不使用時の（したがって梱包体１から離間した状態の）切断用カッター１０を示す図である。また、図５および図６は、それぞれ、図４に示す切断用カッター１０を、後述する第１接触部２３および第２接触部４４の側から見た斜視図、及び、上記第１接触部２３の側からみた平面図である。
【００１８】
以下の説明において、梱包体１の上記角部２を形成する面３，４の一方および他方を、「第１の面３」および「第２の面４」と呼ぶ。また、「第１方向ＤＡ」とは、梱包体１の切断時の切断用カッター１０の移動方向を指すものとする。また、「第２方向ＤＢ」とは、第１方向ＤＡに直交する方向であって、第１の面３が第１方向ＤＡ以外に広がる方向を指すものとする。また、「第３方向ＤＣ」とは、第１方向ＤＡおよび第２方向ＤＢの両方と非平行な方向であって、第２の面４が第１方向ＤＡ以外に広がる方向を指すものとする。
【００１９】
なお、図面間での方向関係を明確化するため、いくつかの図面には、第１方向ＤＡ、第２方向ＤＢ及び第３方向ＤＣを図面間で共通する方向として矢印で示している。矢印の先端側が、各方向ＤＡ，ＤＢ，ＤＣの一側となる。また、図面の紙面に垂直な方向に沿って紙面の奥に向かう矢印を、図３および図４に示すように、円の中にＸを設けた記号により示した。図面の紙面に垂直な方向に沿って紙面から手前に向かう矢印を、図６に示すように、円の中に点を設けた記号により示した。
【００２０】
図２乃至図６に示すように、切断用カッター１０は、本体部２０と、本体部２０に対して固定された刃片保持部３０と、刃片保持部３０に保持された刃片５０と、を有する。さらに、切断用カッター１０は、刃片５０の刃先５１の少なくとも一部を覆うガード部７０を含むガードユニット６０を有する。
【００２１】
以下、切断用カッター１０の各部についてさらに詳細に説明する。
【００２２】
＜本体部＞
まず、本体部２０について説明する。本体部２０は、刃片保持部３０およびガードユニット６０を保持する。図示された例では、本体部２０内には、刃片保持部３０およびガードユニット６０の少なくとも一部を収容する内部空間２１が形成されている。本体部２０の第３方向ＤＣの一側には、上記内部空間２１と連通する開口２２が形成されている。この開口２２を通じて刃片保持部３０およびガードユニット６０を上記内部空間２１に挿入することができる。
【００２３】
本体部２０は、また、切断時に梱包体１の第１の面３上を摺動する第１接触部２３を有する。図示された例では、本体部２０の上記開口２２を画成する縁部の一部が第１接触部２３をなす。
【００２４】
本体部２０には、切断時に使用者によって把持される把持部２４が設けられている。図示された例では、本体部２０の外面のうち、第３方向ＤＣの一側（第１接触部２３が設けられた側）以外の部分が把持部２４をなしている。
【００２５】
＜刃片および刃片保持部＞
次に、図２乃至図８を参照して、刃片５０および刃片保持部３０について説明する。図７は、刃片保持部３０の分解斜視図である。図７において、刃片保持部３０の後述する刃片装着部３１には刃片５０が装着されている。図８は、刃片装着部３１を分解して刃片５０とともに示す図である。
【００２６】
まず、刃片５０について説明する。図８に示すように、刃片５０は薄板状のカッター刃である。図示された例では、刃片５０は、平面視において台形状をなしており、台形の互いに平行な対辺の一方をなす縁部に沿って刃先５１が設けられている。刃片５０には、刃片５０を刃片保持部３０に固定するための穴５２が設けられている。
【００２７】
次に、刃片保持部３０について説明する。図７に示すように、刃片保持部３０は、刃片５０が装着される刃片装着部３１と、刃片装着部３１を保持し本体部２０に接続される接続部４０と、刃片装着部３１を接続部４０に固定するためのロック部材４７とを有する。
【００２８】
刃片装着部３１は、図７および図８に示すように、一対の板状部材３２，３３を含み、一対の板状部材３２，３３の間に刃片を挟持する。一方の板状部材３２には、刃片５０の穴５２に対応して突起３５が設けられている。また、他方の板状部材３３には上記突起３５に対応して凹部３６が設けられている。一方の板状部材の突起３５を、刃片５０の穴５２に嵌め込んだ後、他方の板状部材３３の凹部３６に嵌め込むことにより、刃片５０は刃片装着部３１に対して固定される。図３および図４に示すように、刃片装着部３１は、接続部４０の後述する挿入穴４５に挿入されることにより、接続部４０に保持される。刃片装着部３１は、上記挿入穴４５に差し込みやすいよう、その第１方向ＤＡに沿った寸法が第２方向ＤＢの一側に向けて漸次縮小するテーパ状になっている。刃片装着部３１の第１方向ＤＡの一側および他側の各側部には、ロック部材４７が嵌め込まれる固定用凹部３７が設けられている。
【００２９】
図８に示す例では、一方の板状部材３２は、刃先５１が第１方向Ｄ１の一側に向いた刃片５０の穴５２に嵌まり込む第１突起３５ａと、刃先５１が第１方向Ｄ１の他側を向いた刃片５０の穴５２に嵌まり込む第２突起３５ｂとを有する。また、他方の板状部材３３は、第１突起３５ａが嵌まり込む第１凹部３６ａと、第２突起３５ｂが嵌まり込む第２凹部３６ｂと、を有する。これにより、刃片保持部３０は、刃先５１が第１方向ＤＡにおける一側を向く第１位置（図６および図８で実線で示す位置）と、刃先が第１方向ＤＡにおける他側を向く第２位置（図６および図８で二点鎖線で示す位置）と、の間で変更可能に刃片５０を保持することができる。
【００３０】
接続部４０は、図４および図７に示すように、本体部２０の内部空間２１に収容される接続凸部４１と、接続凸部４１に接続され刃片装着部３１を保持する接続部本体４２とを有する。図示しない締結部材を用いて接続凸部４１が本体部２０に締結されることにより、接続部４０は本体部２０に対して固定されている。
【００３１】
接続部本体４２は、接続凸部４１の第３方向ＤＣにおける一側に位置する。接続部本体４２は、第２方向ＤＢの一側を向く梱包体対面部４３を有する。梱包体対面部４３は、切断時に梱包体１の第２の面４に対面するようになる。梱包体対面部４３には、切断時に梱包体１の第２の面３上を摺動する第２接触部４４が形成されている。図示された例では、梱包体対面部４３は、第２方向ＤＢの一側に突出する凸部を含み、この凸部が第２接触部４４をなす。梱包体１の切断時に梱包体対面部４３の一部のみが梱包体１と接触することにより、接続部本体４２（刃片保持部３０）と梱包体１との間に働く摩擦力が低減される。この結果、切断時における切断用カッター１０の操作性が向上する。
【００３２】
さらに、図示された例では、第２接触部４４は、第１方向ＤＡに沿って直線状に延びている。このような第２接触部４４により、梱包体１の切断時に切断用カッター１０と梱包体１との間に働く摩擦力は、切断用カッター１０を第１方向ＤＡに移動させた場合に最小となる。したがって、梱包体１の切断時に切断用カッター１０が第１方向ＤＡ以外の方向に移動することを抑制することができる。このことによっても、切断時における切断用カッター１０の操作性が向上する。
【００３３】
接続部本体４２には、刃片装着部３１を挿入するための挿入穴４５が設けられている。挿入穴４５は、接続部本体４２を第２方向ＤＢの一側から他側に向けて貫通する。図４に示すように、刃片装着部３１に装着された刃片５０は、刃片装着部３１が挿入穴４５に挿入された状態で、梱包体対面部４３から少なくとも第２方向ＤＢに延び出す。
【００３４】
また、図６に示すように、刃片装着部３１に装着された刃片５０は、刃片装着部３１が挿入穴４５に挿入された状態で、刃片５０の先端が第１方向ＤＡおよび第２方向ＤＢの両方に垂直な方向への投影において把持部２４と重なる。上記投影において刃片５０の先端が把持部２４と重なることにより、使用者によって把持部２４に加えられた力を、刃片５０の先端を通じて梱包体１に効率良く伝えることができる。この結果、梱包体１の切断が容易になる。
【００３５】
また、図３に示すように、挿入穴４５は、刃片装着部３１に装着された刃片５０の刃先５１が第１方向ＤＡおよび第２方向ＤＢの両方に平行な面（梱包体１の第１の面３）に対して０°より大きく４５°未満の角度をなすように設けられている。刃片５０の刃先５１が第１方向ＤＡおよび第２方向ＤＢの両方に平行な面に対して０°より大きい角度をなしていることにより、刃片５０の刃先５１は、梱包体１の角部２内を延びる。この結果、梱包体１の内部に収容された商品などを傷つけることが抑制される。また、刃片５０の刃先５１が第１方向ＤＡおよび第２方向ＤＢの両方に平行な面に対して４５°未満の角度をなしていることにより、梱包体１の切断時に刃片５０が梱包体１から受ける力のうち、梱包体１から第２方向ＤＢの他側（梱包体１から離れる側）に向かう力を低減させることができる。これにより、梱包体１の切断時に、切断用カッター１０が梱包体１の角部２から逸れてしまうことが抑制される。この結果、切断用カッター１０を梱包体１の角部２に沿って移動させることが容易になり、切断用カッター１０の操作性が向上する。
【００３６】
図２および図６に示すように、接続部本体４２には、２つの挿入穴４５ａ，４５ｂが第１方向ＤＡに並んで形成されている。これにより、使用者の利き手等に合わせて本体部２０に対する刃片５０の位置を適宜変更することができる。例えば、使用者が右利きの場合は、図６に実線で示すように、刃先５１が第１方向ＤＡの一側を向いた状態で（刃片５０が第１位置に配置された状態で）刃片装着部３１を一方の挿入穴４５ａに挿入する。一方、使用者が左利きの場合は、図６に二点鎖線で示すように、刃先５１が第１方向ＤＡにおける他側を向いた状態で（刃片５０が第２位置に配置された状態で）刃片装着部３１を他方の挿入穴４５ｂに挿入する。これにより、使用者が右利きであっても左利きであっても、利き手で切断用カッター１０を梱包体１の角部２に沿わせて第１方向ＤＡに移動させることができる。このことによっても、切断用カッター１０の操作性が向上する。
【００３７】
次に、ロック部材４７について説明する。まず、図６および図７に示すように、接続部本体４２には、挿入穴４５ａ，４５ｂの間に、第３方向ＤＣに延びる案内溝４６が設けられている。これに対応して、ロック部材４７は、第２方向ＤＢに延びるロック部材本体４７ａとロック部材本体４７ａの第２方向ＤＢの一側端部から第１方向ＤＡの一側および他側に延び出す第１凸部４７ｂと、第１凸部４７ｂよりも第２方向ＤＢの他側でロック部材本体４７ａから第１方向ＤＡの一側および他側に延び出す第２凸部４７ｃと、を有する。第１凸部４７ｂが接続部本体４２の案内溝４６に嵌め込まれることにより、ロック部材４７は接続部本体４２に対して第３方向ＤＣに移動可能に保持される。また、第２凸部４７ｃが刃片装着部３１の固定用凹部３７に嵌め込まれることにより、ロック部材４７は刃片装着部３１を接続部本体４２に対して固定する。
【００３８】
＜ガードユニット＞
次に、図３乃至図６並びに図９を参照して、ガードユニット６０について説明する。図９は、ガードユニット６０の分解斜視図である。
【００３９】
図９に示すように、ガードユニット６０は、本体部２０に対して固定されたガード部保持体６１と、ガード部保持体６１に保持されたガード部７０と、を含む。ガード部７０は、ガード部保持体６１に対して（したがって本体部２０および刃片保持部３０に対して）、移動可能に保持されている。具体的には、ガード部７０は、刃片５０の刃先５１を覆うガード位置（図４参照）と、刃片５０の刃先５１を露出させる露出位置（図３参照）との間を、本体部２０や刃片保持部３０に対して移動することができる。
【００４０】
図４に示すガード位置において、ガード部７０は、刃片５０の刃先５１の先端を第２方向ＤＢにおける一側（刃片保持部３０とは反対側）から覆う。したがって、ガード部７０がガード位置にあるとき、刃先５１で使用者の手等が傷つけられる虞が低減される。
【００４１】
一方、図３に示す露出位置において、ガード部７０は、刃片５０の刃先５１の先端を第２方向ＤＢにおける一側に露出させる。したがって、ガード部が露出位置にあるとき、刃先５１の先端を梱包体１に押し当てて梱包体１を切断することができる。
【００４２】
図示された例では、ガード部７０は、全体として板状のガード部本体７１を含む。ガード部本体７１は、概ね、第１方向ＤＡおよび第３方向ＤＣの両方に広がる面に沿っている。ガード部本体７１の第３方向ＤＣの他側からは、２本の軸部７２が第３方向ＤＣに延び出している。
【００４３】
ガード部保持体６１は、図４に示すように、その全体が本体部２０の内部空間２１内に収容され、図示しない締結部材によって本体部２０に対して固定されている。図５に示すように、ガード部保持体６１は、ガード部本体７１を収容する内部空間６２を有する。この内部空間６２は、ガード部保持体６１の第３方向ＤＣの一側（本体部２０の第１接触部２３の側）に設けられた第１開口６３を通じて開放されている。この第１開口６３を通じて、ガード部本体７１は、ガード部保持体６１の内部空間６２に出入りすることができる。ガード部本体７１は、第１方向ＤＡと第２方向ＤＢの両方に垂直な方向（図示された例では第３方向ＤＣ）に沿って上記内部空間６２に出入りする。
【００４４】
ガード部保持体６１の第３方向ＤＣの他側には、ガード部７０の軸部７２が挿通される第２開口６４が設けられている。ここで、第２開口６４に挿通された軸部７２の先端にはストッパ６５が接続されている。ストッパ６５の頭部は、ガード部保持体６１の外側に位置している。頭部の外径は、第２開口６４の口径よりも大きい。このようなストッパ６５によって、ガード部７０がカード部本体６１から脱落することが防止される。
【００４５】
図９から理解されるように、ガード部本体７１とガード部保持体６１との間には、ガード部７０をガード位置に向けて付勢する付勢手段６６が配置されている。図示された例では、付勢手段６６は、コイルバネであり、ガード部保持体６１の内部においてガード部７０の各軸部７２を囲むように配置されている。このような付勢手段７２が設けられていることにより、ガード部７０に力が加えられていない場合（例えば本体部２０の第１接触部２３が梱包体１から十分に離れている場合）、ガード部７０はガード位置に配置されて刃片５０の先端を覆う。その一方で、ガード部７０に第１方向ＤＡと第２方向ＤＢの両方に垂直な方向に沿って本体部２０に向かう力が働くと（例えば本体部２０の第１接触部２３を梱包体１に接触させると）、ガード部７０は付勢手段６６の付勢力に抗して露出位置に移動し、刃片５０の先端を露出させる。言い換えると、ガード部７０は、切断用カッター１０の不使用時には刃片５０の先端を覆い、梱包体１の切断時には自動的に刃片５０の先端を露出させる。このようなガード部７０を有する切断用カッター１０は、不使用時にはガード部７０のガード機能によって安全に持ち運ぶことができ、また、使用時にはガード機能を解除するための特別な操作を必要としないため、取り扱いが容易である。
【００４６】
さらに、図示された例では、ガード部７０は、露出位置において本体部２０内に位置する。これにより、移動するガード部７０が切断用カッター１０の周囲のもの（例えば梱包体１や使用者の手）と干渉することが防止される。これにより、切断用カッター１０の取り扱いがさらに容易になる。
【００４７】
また、図６に示す例では、ガード部本体７１は、第２方向ＤＢにおける中央で、刃片保持部３０に向けて突出する突出部７３を有する。突出部７３を有することにより、刃片保持部３０とガード部本体７１との間に形成される隙間をより小さくすることができる。これにより、上記隙間に使用者の指等が入り込んで指等が刃片５０によって傷つけられる、ということを効果的に防止することができる。また、刃片５０の先端を第１方向ＤＡにおける一側あるいは他側からも覆うことができる。これにより、刃片５０の先端が使用者の指等を傷つける虞がさらに抑制される。
【００４８】
＜使用方法＞
次に、上述した切断用カッター１０の使用方法について説明する。
【００４９】
まず、切断用カッター１０を梱包体１の角部２に図１に示すように配置し、第１方向ＤＡの一側に向けて移動させて梱包体１を切断する場合について説明する。この場合、刃片５０の位置が刃先５１が第１方向ＤＡにおける一側を向く第１位置（図６で実線で示す位置）となるように、刃片５０を刃片保持部３０に保持させる。このとき、図６で実線で示すように、刃片装着部３１を接続部本体４２の挿入穴４５ａ，４５ｂのうち、第１方向ＤＡの他側に位置する挿入穴４５ａに挿入して、刃片５０を刃片保持部３０に保持させる。これにより、刃片５０の刃先５１が、ガード部本体７１の突出部７３の側を向く。刃片５０の刃先５１の先端は、第２方向ＤＢにおける一側および第２方向ＤＡにおける一側からガード部本体７１によって覆われる。
【００５０】
次に、切断用カッター１０を第１方向ＤＡと第２方向ＤＢの両方に垂直な方向に沿って移動させて、本体部２０の第１接触部２３を梱包体１の第１の面３に接触させる。これにより、ガード部７０が上記垂直な方向に沿って移動して、本体部２０内に収容される。これに伴って、刃片５０の先端が第２方向ＤＢの一側（梱包体１の第２の面４に対面する側）および第２方向ＤＡの一側に露出される。本体部２０の第１接触部２３を梱包体１の第１の面３上を摺動させ、且つ、刃片保持部３０の第２接触部４４を梱包体１の第２の面４上を摺動させながら、切断用カッター１０を第１方向ＤＡの一側へ向けて、梱包体１の角部２に沿って移動させる。これにより、梱包体１の第２の面４が角部２に沿って切断される。
【００５１】
なお、切断用カッター１０を梱包体１の角部２に図１に示すように配置し、第１方向ＤＡの他側に向けて移動させて梱包体１を切断する場合は、刃片５０の位置が刃先５１が第１方向ＤＡにおける他側を向く第２位置（図６で二点鎖線で示す位置）となるように、刃片保持部３０に刃片５０を保持させればよい。このとき、図６で二点鎖線で示すように、刃片装着部３１を接続部本体４２の挿入穴４５ａ，４５ｂのうち、第１方向ＤＡの一側に位置する挿入穴４５ａに挿入して、刃片５０を刃片保持部３０に保持させる。これにより、刃片５０の刃先５１が、ガード部本体７１の突出部７３の側を向く。刃片５０の刃先５１の先端は、第２方向ＤＢにおける一側および第２方向ＤＡにおける他側からガード部本体７１によって覆われる。
【００５２】
以上のように、本実施の形態によれば、梱包体１の角部２上を移動しながら梱包体１を切断する切断用カッター１０は、切断時に移動方向（角部２の長手方向）となる第１方向ＤＡと第１方向ＤＡに直交する第２方向ＤＢとの両方に広がり角部２を形成する梱包体１の一方の面３上を摺動する第１接触部２３を有した本体部２０を備える。また、切断用カッター１０は、切断時に第２方向ＤＢに非平行な第３方向ＤＣと第１方向ＤＡとの両方に広がり一方の面３とともに角部２を形成する梱包体１の他方の面４上を摺動する第２接触部４４を有し、且つ、本体部２０に対して固定された刃片保持部３０と、少なくとも第２方向ＤＢに延び出すようにして刃片保持部３０に保持された刃片５０と、を備える。また、切断用カッター１０は、刃片５０の刃先５１の先端を第２方向ＤＢにおける刃片保持部３０とは反対側となる一側から覆うガード位置と、刃片５０の先端を第２方向ＤＢにおける一側に露出させる露出位置との間を、刃片保持部３０に対して相対移動可能なガード部７０と、を備える。そして、本体部２０の第１接触部２３を梱包体１の一方の面３に接触させる際に、一方の面３によってガード部７０が前記ガード位置から露出位置に押される。
【００５３】
このような切断用カッター１０によれば、不使用時には刃片５０の刃先５１の先端がガード部７０によって覆われて、刃先５１によって使用者の手等が傷つけられることを防止することができる。その一方で、使用時には、本体部２０の第１接触部２３を梱包体１に接触させるだけで、刃片５０の先端を露出させて梱包体１を切断することができる。したがって、取り扱いが容易である。
【００５４】
本実施の形態において、ガード部７０は、第１方向ＤＡと第２方向ＤＢの両方に垂直な方向に沿って移動可能である。これにより、ガード部７０の移動方向が、本体部２０の第１接触部２３を梱包体１に接触させる際の切断用カッター１０の移動方向に沿った方向になる。この結果、ガード部７０を容易に露出位置に移動させることができる。
【００５５】
また、本実施の形態において、ガード部７０は、露出位置において、本体部２０内に位置する。これにより、露出位置に移動したガード部７０が切断用カッター１０の周囲のもの（梱包体１や使用者の手等）と干渉することが防止される。この結果、切断用カッター１０の取り扱いがさらに容易になる。
【００５６】
また、本実施の形態において、梱包体１の角部２上を移動しながら梱包体１を切断する切断用カッター１０は、切断時に移動方向となる第１方向ＤＡと第１方向ＤＡに直交する第２方向ＤＢとの両方に広がり角部２を形成する梱包体１の一方の面３上を摺動する第１接触部２３と、切断時に使用者によって把持される把持部２４と、を有した本体部２０を備える。また、切断用カッター１０は、切断時に第２方向ＤＢに非平行な第３方向ＤＣと第１方向ＤＡとの両方に広がり一方の面３とともに角部２を形成する梱包体１の他方の面４上を摺動する第２接触部４４を有し、且つ、本体部２０に対して固定された刃片保持部３０と、少なくとも第２方向ＤＢに延び出すようにして刃片保持部３０に保持された刃片５０と、を備える。そして、第１方向ＤＡ及び第２方向ＤＢの両方に垂直な方向への投影において、刃片５０の先端は、把持部２４と重なる。
【００５７】
このような切断用カッター１０によれば、使用者によって把持部２４に加えられた力を、刃片５０の先端を通じて梱包体１に効率良く伝えることができる。この結果、梱包体１の切断が容易になる。すなわち、切断用カッター１０の操作性が向上する。
【００５８】
また、本実施の形態において、梱包体１の角部２上を移動しながら梱包体１を切断する切断用カッター１０は、切断時に移動方向となる第１方向ＤＡと第１方向ＤＡに直交する第２方向ＤＢとの両方に広がり角部２を形成する梱包体１の一方の面３上を摺動する第１接触部２３と、切断時に使用者によって把持される把持部２４と、を有した本体部２０を備える。また、切断用カッター１０は、切断時に第２方向ＤＢに非平行な第３方向ＤＣと第１方向ＤＡとの両方に広がり一方の面３とともに角部２を形成する梱包体１の他方の面４上を摺動する第２接触部４４を有し、且つ、本体部２０に対して固定された刃片保持部３０と、少なくとも第２方向ＤＢに延び出すようにして刃片保持部３０に保持された刃片５０と、を備える。そして、刃片５０の刃先５１は、第１方向ＤＡ及び第２方向ＤＢの両方に平行な面に対して、０°より大きく４５°未満の角度をなしている。
【００５９】
このような切断用カッター１０では、刃片５０の刃先５１が第１方向ＤＡおよび第２方向ＤＢの両方に平行な面に対して０°より大きい角度をなしていることにより、刃先５１が梱包体１の角部２内を延びる。これにより、刃片５０の刃先５１が梱包体１の内部に収容された商品などを傷つける虞が抑制される。また、刃片５０の刃先５１が第１方向ＤＡおよび第２方向ＤＢの両方に平行な面に対して４５°未満の角度をなしていることにより、梱包体１の切断時に刃片５０が梱包体１から受ける力のうち、第２方向ＤＢの他側（梱包体１から離れる側）に向かう力を低減させることができる。これにより、切断時に切断用カッター１０が梱包体１の角部２から逸れてしまうことが抑制される。この結果、切断用カッター１０を梱包体１の角部２に沿って移動させることが容易になり、切断用カッター１０の操作性が向上する。
【００６０】
また、本実施の形態において、梱包体１の角部２上を移動しながら梱包体１を切断する切断用カッター１０は、切断時に移動方向となる第１方向ＤＡと第１方向ＤＡに直交する第２方向ＤＢとの両方に広がり角部２を形成する梱包体１の一方の面３上を摺動する第１接触部２３と、切断時に使用者によって把持される把持部２４と、を有した本体部２０を備える。また、切断用カッター１０は、切断時に第２方向ＤＢに非平行な第３方向ＤＣと第１方向ＤＡとの両方に広がり一方の面３とともに角部２を形成する梱包体１の他方の面４上を摺動する第２接触部４４を有し、且つ、本体部２０に対して固定された刃片保持部３０と、少なくとも第２方向ＤＢに延び出すようにして刃片保持部３０に保持された刃片５０と、を備える。そして、刃片保持部３０は、刃先５１が第１方向ＤＡにおける一側を向く第１位置と、刃先５１が第１方向ＤＡにおける他側を向く第２位置と、の間で変更可能に前記刃片５０を保持する。
【００６１】
このような切断用カッター１０によれば、使用者の利き手等に合わせて本体部２０に対する刃片５０の位置を適宜変更することができる。
【００６２】
また、本実施の形態において、梱包体１の角部２上を移動しながら梱包体１を切断する切断用カッター１０は、切断時に移動方向となる第１方向ＤＡと第１方向ＤＡに直交する第２方向ＤＢとの両方に広がり角部２を形成する梱包体１の一方の面３上を摺動する第１接触部２３と、切断時に使用者によって把持される把持部２４と、を有した本体部２０を備える。また、切断用カッター１０は、切断時に第２方向ＤＢに非平行な第３方向ＤＣと第１方向ＤＡとの両方に広がり一方の面３とともに角部２を形成する梱包体１の他方の面４上を摺動する第２接触部４４を有し、且つ、本体部２０に対して固定された刃片保持部３０と、少なくとも第２方向ＤＢに延び出すようにして刃片保持部３０に保持された刃片５０と、を備える。そして、第２接触部４４は、第１方向ＤＡに沿って直線状に延びる。
【００６３】
このような切断用カッター１０によれば、切断時に切断用カッター１０と梱包体１との間に働く摩擦力は、切断用カッター１０を第１方向ＤＡに移動させた場合に最小となる。したがって、切断時に切断用カッター１０が第１方向ＤＡ以外の方向に移動することを抑制することができる。これにより、切断時における切断用カッター１０の操作性が向上する。
【００６４】
なお、以上において上述した実施の形態に対するいくつかの変形例を説明してきたが、当然に、複数の変形例を適宜組み合わせて適用することも可能である。
【符号の説明】
【００６５】
１      梱包体
２      角部
１０    切断用カッター
２０    本体部
３０    刃片保持部
５０    刃片
５１    刃先
７０    ガード部
ＤＡ    第１方向
ＤＢ    第２方向
ＤＣ    第３方向
【図１】
2020156713.tif 000003
【図２】
2020156713.tif 000004
【図３】
2020156713.tif 000005
【図４】
2020156713.tif 000006
【図５】
2020156713.tif 000007
【図６】
2020156713.tif 000008
【図７】
2020156713.tif 000009
【図８】
2020156713.tif 000010
【図９】
2020156713.tif 000011